(57)【要約】【課題】組み付けが容易であり、また上下複数段を有する組立棚における中間棚部材の位置変更を、他の棚部材はそのままで、当該中間棚部材のみの解体及び組み付けのみで行なうことができる組付棚を提供すること。【解決手段】２つの主支柱１１と主支柱１１を連結する連結部１２からなる支柱軸を中心とした対称形状であって、連結部１２の長手方向に規則又は不規則の間隔で複数の貫通穴１３が形成された支柱１と、支柱１に係合する第１係合部と棚部材に係合する第２係合部を有し、支柱１の短手方向の１／２の領域を利用して、支柱１を両側から挟持するように取り付けられる一対の結合部材２と、第２係合部に係合する第３係合部が略四隅に形成された棚部材３と、を備えるものであり、支柱１中における一対の結合部材２と棚部材３は、支柱１の短手方向における１／２の領域に配置される組立棚１０。【選択図】図１
2010148560.tif 000002
【特許請求の範囲】
【請求項１】
２つの主支柱と該主支柱を連結する連結部からなる支柱軸を中心とした対称形状であって、該連結部の長手方向に規則又は不規則の間隔で複数の貫通穴又は非貫通の係合凹凸が形成された支柱と、
該支柱に係合する第１係合部と棚部材に係合する第２係合部を有し、該支柱の短手方向の１／２の領域を利用して、該支柱を両側から挟持するように取り付けられる一対の結合部材と、
該第２係合部に係合する第３係合部が略四隅に形成された棚部材と、
を備えるものであり、該支柱中における該一対の結合部材と該棚部材は、該支柱の短手方向における１／２の領域に配置されることを特徴とする組立棚。
【請求項２】
該一対の結合部材はそれぞれ対称形状であって、該第１係合部は、該一方の主支柱の一方の側面形状に相当する形状の凹部と、該貫通穴の途中まで挿入される凸部であることを特徴とする請求項１記載の組立棚。
【請求項３】
該一対の結合部材は互いに異形状であって、一方の結合部材における該第１係合部が、該一方の主支柱の一方の側面形状に相当する形状の凹部と、該貫通穴を貫通する凸部であることを特徴とする請求項１記載の組立棚。
【請求項４】
他方の結合部材における該第１係合部が、該一方の主支柱の他方の側面形状に相当する形状の凹部であり、該他方の結合部材には、該一方の結合部材の凸部と係合する第２凹部を有することを特徴とする請求項３記載の組立棚。
【請求項５】
該一対の結合部材はそれぞれ略対称形状であって、該第１係合部は、該一方の主支柱の一方の側面形状に相当する形状の凹部と、該非貫通の係合凹凸に係合する係合凸凹であることを特徴とする請求項１記載の組立棚。
【請求項６】
該貫通穴が、丸穴又は矩形穴であることを特徴とする請求項１〜４のいずれか１項に記載の組立棚。
【請求項７】
該非貫通の係合凹凸が歯型ラック状の歯部であり、該係合凸凹が該歯部に係合するラック状の歯部であることを特徴とする請求項１〜４のいずれか１項に記載の組立棚。
【請求項８】
該第２係合部は、下方に向かうに従って漸次拡大する傾斜面を有する突状物であることを特徴とする請求項１〜７のいずれか１項に記載の組立棚。
【請求項９】
該第３係合部は、下方に向かうに従って漸次拡大する傾斜面を有する凹部であることを特徴とする請求項１〜８のいずれか１項に記載の組立棚。
【請求項１０】
該支柱の短手方向における他の１／２の領域に、長手方向に連結される同じ形状の他の棚部材と該他の棚部材を固定する同じ形状の他の結合部材を嵌め込み、２つの棚部材を１つの支柱を介して連結したことを特徴とする請求１〜９のいずれか１項に記載の組立棚。
【発明の詳細な説明】
【技術分野】
【０００１】
本発明は、事務所、家庭、倉庫、店舗等で使用する収納棚、あるいは店舗で使用する陳列棚として使用されるものであり、組み付けと解体が容易な組立棚に関するものである。
【背景技術】
【０００２】
登録実用新案公報第３０５７９９０号には、長手方向に所定の間隔で複数の環状の係止溝が外周面に形成された支柱と、内周面に形成された突条を前記支柱の係止溝に係止して支柱の外周面に取り付けられ、外形が下方に向かうに従って漸次拡径した形状に形成されたテ−パスリ−ブと、該テ−パスリ−ブの外面形状の一部又は全部に略一致するように下方に向かうに従って漸次拡径した内面形状に形成されるとともに、前記支柱の外周面に取り付けられたテ−パスリ−ブの外周面に差し込まれるリングが四隅に固着された棚部とからなる棚部の係止構造であって、前記棚部の左右のリングは棚部に対して左右異なる高さに固着され、前記テ−パスリ−ブの外周面に上下互い違いに差し込まれるように配置され、左右の棚部が同一の支柱を共用して段差なく連結されるようにした棚部の係止構造が開示されている。
【０００３】
登録実用新案公報第３０６６５７１号には、 等間隔に円周方向の凹溝を設けた４本の支柱と棚からなり、縦に割って二つに分割すると共に両者を合わせて一体自在とし、内面に支柱に設けた円周方向の凹溝に嵌合する円周方向の突条を設けた、支柱の高さ方向の適宜の位置に止めるテーパースリーブと、支柱を側面から入れることができるように縦方向の切欠きを設けた前記テーパースリーブに被さるテーパースリーブとを用い、該テーパースリーブを棚の一部に一体的に固定し、該テーパースリーブを前記支柱に止めるテーパースリーブに被せて棚を取り付ける構造の金属製ラックであって、棚として、桟と平板状の棚本体とを一体とし、桟の四隅にテーパースリーブを固定した棚と、長さ方向の両端部にテーパースリーブを固定し、ラックの幅方向の支柱に差し渡す一対の桟と、該桟と別体に構成し、該桟に桟の長さ方向に移動可能に架け渡す、幅を前記桟と棚本体とを一体とした棚の半分の幅とした棚本体とをもって構成した棚と、長さ方向の両端部にテーパースリーブを固定し、ラックの長さ方向の支柱に差し渡す一対の桟と、該桟と別体に構成し、該桟に桟の長さ方向に移動可能に架け渡す、長さを前記桟と棚本体とを一体とした棚の半分の長さとした棚本体とをもって構成した棚とをもって構成し、これらの棚を適宜に組み合わせて用いるようになした金属製ラックが開示されている。
【０００４】
これら従来の組立棚は、例えば２つの棚部材を長手方向に連結する場合、1本の支柱を共有できるため、見栄えがよく、また組み付けも容易である。
【特許文献１】登録実用新案公報第３０５７９９０号
【特許文献２】登録実用新案公報第３０６６５７１号
【発明の開示】
【発明が解決しようとする課題】
【０００５】
しかしながら、これら従来の組立棚は、上下複数段を有する組立棚における中間棚部材の位置を変更したい場合（以下、「中抜き操作」とも言う。）、その中間棚部材より上方にある棚部材を必ず取り除く必要があった。このため、組み付けは簡単ではあるが、中抜き操作は不便であり、実質的に中抜きが行なわれないものであった。
【０００６】
従って、本発明の目的は、組み付けが容易であり、また上下複数段を有する組立棚における中間棚部材の位置変更を、他の棚部材はそのままで、当該中間棚部材のみの解体及び組み付けのみで行なうことができる組付棚を提供することにある。
【課題を解決するための手段】
【０００７】
すなわち、本発明は、上記従来の課題を解決したものであって、２つの主支柱と該主支柱を連結する連結部からなる支柱軸を中心とした対称形状であって、該連結部の長手方向に規則又は不規則の間隔で複数の貫通穴が形成された支柱と、該支柱に係合する第１係合部と棚部材に係合する第２係合部を有し、該支柱の短手方向の１／２の領域を利用して、該支柱を両側から挟持するように取り付けられる一対の結合部材と、該第２係合部に係合する第３係合部が略四隅に形成された棚部材と、を備えるものであり、該支柱中における該一対の結合部材と該棚部材は、該支柱の短手方向における１／２の領域に配置されることを特徴とする組立棚を提供するものである。
【発明の効果】
【０００８】
本発明の組立棚によれば、組み付けが容易であり、また上下複数段を有する組立棚における中間棚部材の位置変更を、他の棚部材はそのままで、当該中間棚部材のみの取り外し及び付け直しを行なうことができる。
【発明を実施するための最良の形態】
【０００９】
次に、本発明の第１の実施の形態における組立棚を図１〜図５を参照して説明する。図１は本例の組立棚の斜視図、図２は本例における組立前の支柱と一対の結合部材の斜視図、図３は棚部材を嵌め込む状態を説明する図、図４は棚部材の長手方向に他の棚部材を連結した組立棚の斜視図、図５は図４の組立棚の中間結合部分の部分拡大図である。
【００１０】
組立棚１０は、支柱１と、一対の結合部材２と、棚部材３を備えるものである。一つの棚部材３を支柱１に固定するには、１つの棚部材３と、４本の支柱１と、４組の結合部材を必要とする。図１の上下３段棚の組立棚１０は、３つの棚部材３と、４本の支柱１と、１２組の結合部材を必要とする。１２組の結合部材とは一対の結合部材が１２つあるの意味であり、結合部材の部材の数としては、２４個である。
【００１１】
組立棚１０において、支柱１は、２つの主支柱１１（１１ａ、１１ｂ）と主支柱１１を連結する連結部１２からなる支柱軸（連結部の中央の仮想の鉛直軸）を中心とした対称形状である。対称形状とは、支柱軸を中心として、使用状態における棚部材の長手方向に線対称であり、また棚部材の短手方向に線対称を言う。主支柱１１の平面形状は、特に制限されないが、本例ではやや扁平した略５角形状である。主支柱１１の上下方向における長さ（長手方向）は棚の段数などにより適宜決定される。このような主支柱１１は支柱１に強度を付与するとともに、結合部材２の係合を容易にする。主支柱１１は実体であっても、中空体であってもよいが、本例のように中空体とすることが、軽量且つ高い強度を付与できる点で好ましい。なお、図２の符号１５は中空体に被せられたキャップである。
【００１２】
連結部１２の形状は、所定幅と所定の厚みを有する板状体である。また、連結部１２には長手方向（上下方向）に規則又は不規則の間隔で複数の貫通穴１３が形成されている。貫通穴１３は結合部材２の取り付けを可能にすると共に棚部材の設置位置の目安ともなる。連結部１２の厚みは、支柱１の強度が付与可能な厚みが適宜決定される。連結部１２の幅は貫通穴１３に２つの結合部材２の凸部２３ａが横並びで２つ挿入されるため、結合部材２の凸部２３ａの厚みにより適宜決定される。貫通穴１３としては丸穴、矩形状穴又は楕円穴などがあげられる。本例では一定のピッチで複数の矩形状貫通穴１３が形成されている。
【００１３】
図１に示すような組立棚１０を１基（通常は上下多段）とすると、１基の組立棚で使用する１本の支柱１において、支柱１中における一対の結合部材２、２と棚部材３は、支柱１の短手方向（図２中、Ｙ−Ｙ方向であり、平面視では長手方向）における１／２の領域、すなわち、１つの主支柱１１ａと貫通穴１３の主支柱１１ａ側の半分（図２中、Ｘ領域）に配置される。このように、支柱１の半分を使用することにより、組立棚１０の２基を、Ｙ−Ｙ方向に連結した際、１本の支柱１を左右の棚部材３、３の固定に際して共有することができる（図４及び図５）。
【００１４】
一対の結合部材２ａ、２ｂは、支柱１に係合する第１係合部と棚部材３に係合する第２係合部を有し、支柱１の短手方向の１／２の領域を利用して、支柱１を両側から挟持するように取り付けられるものである。図２の一対の結合部材２ａ、２ｂは互いに異形状である。一方の結合部材２ａは、所定の高さ（上下方向長さ）を有する平面視が略コ字形状のものであり、一方の主支柱１１ａの一方の側面形状１６ａに相当する形状の凹部２２ａと、凹部２２ａに隣接する貫通穴１３を貫通する凸部２３ａを有する。すなわち、第１係合部は主支柱１１ａに当接する凹部２２ａと、貫通穴１３を貫通する凸部２３ａである。本例の凸部２３ａは略コ字形状の背板２１ａの一端（支柱１の内側の端）から背板２１ａに直角に延びる２本の略矩形断面形状の腕状部２３ａ、２３ａである。腕状部２３ａ、２３ａは上下方向に隣接する２つの貫通穴１３、１３に嵌るものであり、その厚み（水平方向）は貫通穴１３の１/２であり、その高さ（上下方向）は貫通穴１３の高さに概ね等しいものである。
【００１５】
また、背板２１ａの外側で且つ棚部材側には、板状物（突状物）（第２係合部）２４ａが形成されている。この第２係合部２４ａは下方に向かうに従って漸次拡大する傾斜側面２４２と、下方に向かうに従って漸次拡大する傾斜背面２４１を有する。なお、傾斜背面２４１の傾斜は傾斜側面２４２より緩やかである。また、第２係合部２４ａの棚部材側の端面と結合部材２ａの棚部材側の端面とは面一となっている。
【００１６】
他方の結合部材２ｂは、所定の高さを有する平面視が略コ字形状のものであり、一方の主支柱１１ａの一方の側面形状１６ｂに相当する形状の凹部２２ｂと、凹部２２ｂに隣接する一方の結合部材２ａの腕状部２３ａ、２３ａと係合する２つの凹部２３ｂ、２３ｂ（第２凹部）を有する。すなわち、他方の結合部材２ｂの第１係合部は主支柱１１ａの他方の側面形状１６ｂに当接する凹部２２ｂである。２つの第２凹部２３ｂ、２３ｂの形状は腕状部２３ａ、２３ａとほぼ隙間なく係合する形状であり、具体的には腕状部２３ａ、２３ａが係合する側とＹ−Ｙ方向における棚部材とは反対側が共に開口する断面が略矩形状の凹部である。
【００１７】
また、背板２１ｂの外側で且つ棚部材３側には、一方の結合部材２ａと同様に、板状物（突状物）（第２係合部）２４ｂ（不図示）が形成されている。この第２係合部２４ｂの形状は一方の結合部材２ａの第２係合部２４ａと同様である。なお、一対の結合部材２ａ、２ｂの高さ（上下長さ）は、棚部材３の高さ（厚み）と同じである。
【００１８】
支柱１に一対の結合部材２ａ、２ｂを取り付けるには、先ず、一方の結合部材２ａを棚部材３を設置したい位置にある２つの貫通穴１３に、腕状部２３ａ、２３ａを貫通させ、更に主支柱１１ａの一方の側面１６ａに一方の結合部材２ａの凹部２２ａをあてがう。次に、他方の結合部材２ｂの２つの第２凹部２３ｂ、２３ｂと腕状部２３ａ、２３ａとを係合させ、両者を一体化させる（図３）。一対の結合部材２ａ、２ｂと支柱１の一体化物は、それぞれの部材間にほとんど隙間が存在しないため、あたかも支柱１の一部の形状の如きである。すなわち、一対の結合部材２ａ、２ｂと支柱１の一体化物は、支柱１の短手方向の半分の領域に形成される箱状体であり、この箱状体の両側に板状物（突状物）２４ａ、２４ｂが付設されたものである。
【００１９】
棚部材３は、板状物（突状物）２４ａ、２４ｂ（第２係合部）に係合する第３係合部３１が略四隅に形成されたものである。本例において四隅とは、棚部材３の短手方向における端部である。四隅をこのような位置とすることで、４本の支柱で形成される設置面積が大きくとれ、組立棚１０の設置が安定する。棚部材の棚本体部分はボード状又は網目状のいずれでもよいが、ボード状とすることが、第３係合部３１の形成が容易となる点で好ましい。
【００２０】
棚部材３の第３係合部３１は、一対の結合部材２ａ、２ｂと支柱１で形成される箱状体を収納する容積に相当する部分３１１がくり抜かれ更に、板状物２４ａ、２４ｂの形状が収まる容積に相当する部分３４がその部分３１１の奥側の両側に形成されたものである。すなわち、第３係合部３１の左右の小空間３４の前端の傾斜面３３は、下方に向かうに従って漸次拡大する傾斜面であり、小空間３４の側面３４は、下方に向かうに従って漸次拡大する傾斜面である。なお、棚部材３の第３係合部３１は、棚部材１の短手方向の端面から段差を有して僅かに奥側に形成されている。この棚部材３の第３係合部３１を第２係合部２４ａ、２４ｂに係合させると、第２係合部と第３係合部のそれぞれのテーパ部が嵌合して両者が強く固定されるとともに、小空間３４を形成する凹部の天面が板状物２４ａの上面と当接するため、下方への押し込みが停止して上下方向の位置が定まり、且つ一対の結合部材２ａ、２ｂの結合が外れることがなくなる（図５）。
【００２１】
組立棚１０において、支柱１の短手方向における他の１／２の領域に、組立棚の長手方向に連結される同じ形状の他の棚部材と該他の棚部材を固定する同じ形状の他の結合部材が嵌め込み、２つの棚部材３、３を１つの支柱１を介して連結することで組立棚２０を形成できる。すなわち、図４に示すように、組立棚２０は１本の支柱１の両側にそれぞれ棚部材３を設けて、２連の組立棚としたものである。組立棚２０において、組立棚１０と異なる点は、中間の支柱１の固定部分である。すなわち、図３及び図５に示すように、組立棚１０で使用していない、支柱１の短手方向における他の１／２の領域部分に、新たに連結する棚部材３と一対の結合部材２ａ、２ｂが取り付けられる。使用する棚部材３及び一対の結合部材２ａ、２ｂ並びに取り付け方法は、組立棚１０の場合と同じである。
【００２２】
組立棚１０及び組立棚２０において、例えば中間棚部材３ｂを取り除きたい場合、あるいはその設置位置を変更したい場合（中抜き操作）について図１、図１６及び図１７を参照して説明する。図１６の中間棚部材３ｂの中抜きは、中間部材３ｂをそのまま上方に若干持ち上げる。その際、中間部材３ｂの上方空間Ｘに障害となるものはないし、結合部材２ａ、２ｂが存在しない部分における支柱１と棚部材３の第３係合部３１とは隙間が十分にある状態となる。少し持ち上がったところで、中間棚部材３ｂを長手方向に下り傾斜又は上り傾斜となるように傾ける（図１６参照）。この傾ける位置は傾けられた中間棚部材３ｂにおける水平寸法が組立棚１０の２つの支柱１、１間の間口より小となる位置である。この中間棚部材３ｂを傾けた状態から中間棚部材３ｂをそのままの姿勢で手前に引出せば、中間棚部材３ｂの中抜きが可能となる。なお、その後、一対の結合部材２ａ、２ｂを取り除くか、若しくは位置を変更して取り付ければよい。中間棚部材３ｂを再設置するには、上記取り除き方法とは逆の操作方法により行なえばよい。中間棚部材３ｂの再設置後の状態を図１７に示す。このように、組立棚１０及び組立棚２０は、中抜き操作が容易に行える。なお、図１６及び図１７において、図１と異なる点は貫通穴１３の形状である。すなわち、図１６及び図１７中、貫通穴群は近接した３つの貫通穴１３を、上下方向（支柱１の長手方向）に所定のピッチで多数形成したものである。
【００２３】
次に、本発明の第２の実施の形態における組立棚を図６〜図１１を参照して説明する。図６は本例の組立棚の斜視図、図７は本例における組立前の支柱と一対の結合部材の斜視図、図８は棚部材を嵌め込む状態を説明する図、図９は図８の棚部材の短手方向に沿って切断し断面図、図１０は支柱の組み付け部分の拡大斜視図、図１１は図９の棚部材の短手方向に沿って切断し棚部材中央側から見た断面図である。なお、図９及び図１１１は図８の嵌合位置とは棚部材における対角方向にある嵌合部分の図である。
【００２４】
図６〜図１１において、図１〜図５と同一構成要素には同一符号を付して、その説明を省略し、異なる点について主に説明する。すなわち、組立棚１０ａにおいて、組立棚１０と主に異なる点は、支柱１の貫通穴の形状、一対の結合部材の形状及び棚部材の第３係合部の形状である。
【００２５】
支柱１の貫通穴は丸穴であり、２つ置きの丸穴間のピッチが近接する丸穴間のピッチより大である。このような貫通穴であっても、棚部材の設置位置の変更にも十分対応できるとともに、意匠性があり、支柱強度も高くなる。
【００２６】
一対の結合部材２ｃは、それぞれ左右対称形状であり、一方の結合部材２ｃについてのみ説明する。一方の結合部材２ｃは、所定の高さ（上下方向の長さ）を有する平面視が略コ字形状のものであり、一方の主支柱１１ａの一方の側面形状１６ｃに相当する形状の凹部２２ｃと、凹部２２ｃに隣接する貫通穴１３ａの途中まで挿入される凸部２３ｃを有する。すなわち、第１係合部は主支柱１１ａに当接する凹部２２ｃと、貫通穴１３に挿入される凸部２３ｃである。本例の凸部２３ｃは略コ字形状の背板２１ｃの一端（支柱の内側の端）から背板２１ｃに直角に延びる側部の端面に形成される２本の短尺状の半円形状断面の腕状部２３ｃ、２３ｃである。腕状部２３ｃ、２３ｃは隣接する２つの貫通穴１３ａ、１３ａに嵌るものの、嵌る部分は貫通穴１３ａの支柱１の短手方向（支柱軸の直交方向）における１/２の領域である。
【００２７】
また、背板２１ｃの外側で且つ中央のやや下側には、板状物（突状物）（第２係合部）２４ｃが形成されている。この第２係合部２４ｃは中心を通る鉛直軸を中心に左右対称形であり、下方に向かうに従って漸次拡大する傾斜側面２４３、２４３、下方に向かうに従って漸次拡大する傾斜背面２４１を有する。なお、傾斜背面２４１の傾斜は傾斜側面２４３より緩やかである。
【００２８】
第２の実施の形態における組立棚１０ａにおいて、支柱１に一対の結合部材２ｃを取り付けるには、先ず、一方の結合部材２ｃを棚部材３を設置したい位置にある２つの貫通穴１３ａに、腕状部２３ｃ、２３ｃを挿入させ、更に主支柱１１ａの一方の側面１６ｃに一方の結合部材２ｃの凹部２２ｃをあてがう。この場合、腕状部２３ｃ、２３ｃの先端は貫通穴１３ａにおける貫通方向の中間位置に位置する。次に、他方の結合部材２ｃを棚部材３を設置したい位置にある２つの貫通穴１３ａに、腕状部２３ｃ、２３ｃを挿入させ、更に主支柱１１ａの他方の側面１６ｄに一方の結合部材２ｃの凹部２２ｃをあてがう。この場合、腕状部２３ｃ、２３ｃの先端は貫通穴１３ａの中間位置に位置するため、それぞれの腕状部２３ｃ、２３ｃの先端は互いに当接した状態となる。このように、一対の結合部材２ｃ、２ｃと支柱１の一体化物は、それぞれの部材間にほとんど隙間が存在しないため、あたかも支柱１の一部の形状の如きである。すなわち、一対の結合部材２ｃ、２ｃと支柱１の一体化物は、支柱１の短手方向の半分の領域に形成される箱状体であり、この箱状体の両側に板状物（突状物）２４ｃ、２４ｃが付設されたものである。
【００２９】
棚部材３の第３係合部３１ａは、一対の結合部材２ｃ、２ｃと支柱１で形成される箱状体を収納する容積に相当する部分３１２がくり抜かれ更に、板状物２４ｃ、２４ｃの形状が収まる容積に相当する凹部３４ａがそのくり抜き部３１２の両側に形成されたものである。すなわち、第３係合部３１ａの左右の小凹部３４ａの前後端の傾斜面３２ａ、３５ａは、下方に向かうに従って漸次拡大する傾斜面であり、小凹部３４ａの側面３４ａは、下方に向かうに従って漸次拡大する傾斜面である。なお、棚部材３の第３係合部３１ａは、棚部材１の短手方向の端面から段差を有して僅かに奥側に形成されている。この棚部材３の第３係合部３１ａを第２係合部２４ｃ、２４ｃに係合させると、第２係合部と第３係合部のそれぞれのテーパ部が嵌合して両者が強く固定されるとともに、小凹部３４ａを形成する凹部の天面が板状物２４ｃの上面と当接するため、下方への押し込みが停止して上下方向の位置が定まり、且つ一対の結合部材２ｃ、２ｃの結合が外れることがなくなる（図１１）。
【００３０】
組立棚１０ａにおいて、一対の結合部材２ｃ、２ｃ、支柱１及び棚部材３で形成される嵌合構造は、組立棚１０と同様の作用効果を奏する。また、組立棚１０ａは、組立棚１０と同様に中抜き操作をすることができる。
【００３１】
次に、本発明の第３の実施の形態における組立棚を図１２〜図１５を参照して説明する。図１２は本例の組立前の支柱と一対の結合部材の斜視図、図１３は棚部材を嵌め込む状態を説明する図、図１４は支柱の組み付け部分の拡大斜視図、図１５は図１４の嵌合位置とは棚部材における対角方向にある嵌合部分における短手方向に沿って切断した断面図である。
【００３２】
図１２〜図１５において、図６〜図１１と同一構成要素には同一符号を付して、その説明を省略し、異なる点について主に説明する。すなわち、組立棚１０ｂにおいて、組立棚１０ａと主に異なる点は、支柱１の連結部の係合手段の形状及び一対の結合部材の形状である。
【００３３】
支柱１の連結部２の係合手段は非貫通の係合凹凸１３ｂであり、具体的には歯型ラック状の多数の歯部である。この歯部は連結部の両面にそれぞれ形成されているが、一方の側が歯部（凸部）であれば、その裏面は歯部が嵌る凹部となっている（図１５参照）。これにより、連結部１２の厚みを抑制しつつ強度を高めることができる。歯部の形状は結合部材２ｄとの係合安定性、歯部や結合部材２ｄの強度などを考慮して決定される。このような非貫通の係合凹凸であっても、棚部材の設置位置の変更にも十分対応できるとともに、意匠性があり、支柱強度も高くなる。
【００３４】
一対の結合部材２ｄは、それぞれ略左右対称部材であり、一方の結合部材２ｄについてのみ説明する。略左右対称部材とは、係合凸凹の歯ピッチが鉛直方向に対して互いに半ピッチずれている違いはあるものの、それ以外の形状が同じであることを意味する。すなわち一方の結合部材２ｄは、所定の高さ（上下方向の長さ）を有する平面視が略コ字形状のものであり、一方の主支柱１１ａの一方の側面形状１６ｃに相当する形状の凹部２２ｃと、凹部２２ｃに隣接する非貫通の係合凹凸１３ｂに係合するラック状の歯部２３ｄ（係合凸凹）を有する。すなわち、第１係合部は主支柱１１ａに当接する凹部２２ｃと、非貫通の係合凹凸１３ｂに係合するラック状の歯部２３ｄである。本例のラック状の歯部２３ｄは略コ字形状の背板２１ｃの一端（支柱の内側の端）から背板２１ｃに直角に延びる側部の端面に形成される９つ歯である。ラック状の歯部２３ｄは連結部１２の非貫通の係合凹凸１３ｂに係合するものの、係合する部分は係合凹凸１３ｂ（連結部１２）の支柱１の短手方向（支柱軸の直交方向）における１/２の領域である。
【００３５】
第３の実施の形態における組立棚１０ｂにおいて、支柱１に一対の結合部材２ｄを取り付けるには、先ず、一方の結合部材２ｄを棚部材３を設置したい上下方向における所定の位置にある非貫通の係合凹凸１３ｂに、ラック状の歯部２３ｄを係合させ、更に主支柱１１ａの一方の側面１６ｃに一方の結合部材２ｃの凹部２２ｃをあてがう。次に、他方の結合部材２ｄを一方の結合部材２ｄに対峙する位置にある非貫通の係合凹凸１３ｂに、ラック状の歯部２３ｄを係合させ、更に主支柱１１ａの他方の側面１６ｄに一方の結合部材２ｄの凹部２２ｃをあてがう。非貫通の係合凹凸１３ｂとラック状の歯部２３ｄの係合は摩擦抵抗により、その係合状態を維持できる。このように、一対の結合部材２ｄ、２ｄと支柱１の一体化物は、それぞれの部材間にほとんど隙間が存在しないため、あたかも支柱１の一部の形状の如きである。すなわち、一対の結合部材２ｄ、２ｄと支柱１の一体化物は、支柱１の短手方向の半分の領域に形成される箱状体であり、この箱状体の両側に板状物（突状物）２４ｃ、２４ｃが付設されたものである。
【００３６】
棚部材３の第３係合部３１ａの構造及び棚部材３の取り付け方法は、組立棚１０ａと同様である。組立棚１０ｂにおいて、一対の結合部材２ｄ、２ｄ、支柱１及び棚部材３で形成される嵌合構造は、組立棚１０ａと同様の作用効果を奏する。また、組立棚１０ｂは、組立棚１０ａと同様に中抜き操作をすることができる。
【００３７】
組立棚１０ｂにおいて、非貫通の係合凹凸１３ｂにおける歯型ラック状の歯部は、本例のように規則正しく一定のピッチで形成されたものに限定されず、不規則ピッチで形成されたもの、あるいは一部が規則正しく一定のピッチで形成されたもののいずれであってもよい。
【産業上の利用可能性】
【００３８】
本発明の組立棚は、事務所、家庭、倉庫、店舗等において、また店舗において、組み付けと解体が容易な陳列棚として使用できる。
【図面の簡単な説明】
【００３９】
【図１】第１の実施の形態例の組立棚の斜視図。
【図２】本例における組立前の支柱と一対の結合部材の斜視図。
【図３】棚部材を嵌め込む状態を説明する図。
【図４】棚部材の長手方向に他の棚部材を連結した組立棚の斜視図。
【図５】図４の組立棚の中間結合部分の部分拡大図。
【図６】第２の実施の形態例の組立棚の斜視図。
【図７】本例における組立前の支柱と一対の結合部材の斜視図。
【図８】棚部材を嵌め込む状態を説明する図。
【図９】図８の棚部材の短手方向に沿って切断した断面図。
【図１０】支柱の組み付け部分の拡大斜視図。
【図１１】図９の棚部材の短手方向に沿って切断した断面図。
【図１２】本例の組立前の支柱と一対の結合部材の斜視図。
【図１３】棚部材を嵌め込む状態を説明する図。
【図１４】図８の支柱の組み付け部分の拡大斜視図。
【図１５】図１４の棚部材の短手方向に沿って切断した断面図。
【図１６】中間棚部材の中抜き操作を説明する図である。
【図１７】中抜き操作後、中間棚部材が再設置された状態を示す図である。
【符号の説明】
【００４０】
１                                支柱
２、２ａ、２ｂ、２ｃ、２ｄ        結合部材
３                                棚部材
１０、１０ａ                        組立棚
１１、１１ａ、１１ｂ                主支柱
１２                                連結部
１３、１３ａ                        貫通穴
１３ｂ                              歯型ラック状の歯部（非貫通の係合凹凸）
２２ａ、２２ｂ                      凹部（第１係合部）
２３ａ                              腕状部（第１係合部）
２３ｂ                              第２凹部
２３ｄ                              ラック状の歯部（係合凸凹）（第１係合部）
２４ａ〜２４ｃ                      板状物（突状物）（第２係合部）
３１      くり抜き部（第３係合部）
【図１】
2010148560.tif 000003
【図２】
2010148560.tif 000004
【図３】
2010148560.tif 000005
【図４】
2010148560.tif 000006
【図５】
2010148560.tif 000007
【図６】
2010148560.tif 000008
【図７】
2010148560.tif 000009
【図８】
2010148560.tif 000010
【図９】
2010148560.tif 000011
【図１０】
2010148560.tif 000012
【図１１】
2010148560.tif 000013
【図１２】
2010148560.tif 000014
【図１３】
2010148560.tif 000015
【図１４】
2010148560.tif 000016
【図１５】
2010148560.tif 000017
【図１６】
2010148560.tif 000018
【図１７】
2010148560.tif 000019
【手続補正書】
【提出日】平成22年4月19日(2010.4.19)
【手続補正１】
【補正対象書類名】特許請求の範囲
【補正対象項目名】請求項１
【補正方法】変更
【補正の内容】
【請求項１】
２つの主支柱と該主支柱を連結する連結部からなる支柱軸を中心とした対称形状であって、該連結部の長手方向に規則又は不規則の間隔で複数の貫通穴又は非貫通の係合凹凸が形成された支柱と、
該支柱に係合する第１係合部と棚部材に係合する第２係合部を有し、該支柱の短手方向の１／２の領域を利用して、該支柱を両側から挟持するように取り付けられる一対の結合部材と、
該第２係合部に係合する第３係合部が略四隅に形成された棚部材と、
を備えるものであり、該棚部材の長手方向における端部は、該棚部材の長手の側面側から見た状態において、該支柱の短手方向における１／２の領域に配置されることを特徴とする組立棚。
【手続補正２】
【補正対象書類名】明細書
【補正対象項目名】０００７
【補正方法】変更
【補正の内容】
【０００７】
すなわち、本発明は、上記従来の課題を解決したものであって、２つの主支柱と該主支柱を連結する連結部からなる支柱軸を中心とした対称形状であって、該連結部の長手方向に規則又は不規則の間隔で複数の貫通穴又は非貫通の係合凹凸が形成された支柱と、該支柱に係合する第１係合部と棚部材に係合する第２係合部を有し、該支柱の短手方向の１／２の領域を利用して、該支柱を両側から挟持するように取り付けられる一対の結合部材と、該第２係合部に係合する第３係合部が略四隅に形成された棚部材と、を備えるものであり、該棚部材の長手方向における端部は、該棚部材の長手側面側から見た状態において、該支柱の短手方向における１／２の領域に配置されることを特徴とする組立棚を提供するものである。